(57)【特許請求の範囲】
【請求項１】
バッグ、カバン、衣類、時計、美術工芸品、自動車等の鑑定証明が必要とされる製品の鑑定証明システムであって、
秘密鍵α１、製品情報を含む情報を記録した小型記録媒体（ａ１）が貼着または組み込まれた前記製品、および秘密鍵β１、製品情報を含む情報を記録した小型記録媒体（ｂ）が貼着または組み込まれたギャランティカードを用いて鑑定証明が行われ、
前記製品の製品情報、前記製品がユーザーへ渡るまでの各流通段階における取引情報の各情報を、ブロックチェーンデータとして記録する専用プラットフォームと、
前記製品情報および前記取引情報を、製造メーカー・製造者および流通業者が、前記ブロックチェーンデータに書き込むために使用されるアプリケーション［Ａ］と、
前記ユーザーが前記製品情報および前記取引情報を、前記ブロックチェーンデータから読み込むために使用されるアプリケーション［Ｂ］と、を備え、
前記製造メーカー・製造者および前記流通業者が、前記アプリケーション［Ａ］を用いて、前記製品情報および前記取引情報を、前記ブロックチェーンデータに書き込み、
前記ユーザーが、前記製品に付与された前記秘密鍵α１、および前記ギャランティカードに付与された前記秘密鍵β１を使用し、前記アプリケーション［Ｂ］を用いて、前記製品の前記製品情報および前記取引情報を、前記ブロックチェーンデータから読み込むことにより、前記製品の鑑定証明を行うことを特徴とする、鑑定証明システム。
【請求項２】
前記ブロックチェーンデータに前記製品情報および前記取引情報を書き込む権限が、これらの情報に関わる前記製造メーカー・製造者または前記流通業者に限定して与えられることを特徴とする、請求項１に記載の鑑定証明システム。
【請求項３】
前記専用プラットフォームとして、Ｐ２Ｐネットワークを有するブロックチェーンを利用することを特徴とする、請求項１または２に記載の鑑定証明システム。
【請求項４】
前記アプリケーション［Ａ］および前記アプリケーション［Ｂ］は、パーソナルコンピュータ、スマートフォン等の端末にダウンロードされ作動するものであることを特徴とする、請求項１〜３のいずれかに記載の鑑定証明システム。
【請求項５】
前記製品情報は、前記製品の商品名、品番、製造メーカー・製造者、製造場所、製造年月日等の製品に関する情報を含むことを特徴とする、請求項１〜４のいずれかに記載の鑑定証明システム。
【請求項６】
前記製品には、前記小型記録媒体（ａ１）と共に、秘密鍵α２を含む情報を記録した小型記録媒体（ａ２）〜秘密鍵αｎを含む情報を記録した小型記録媒体（ａｎ）のｎ個（ｎは２以上の整数）の小型記録媒体が貼着または組み込まれていることを特徴とする、請求項１〜５のいずれかに記載の鑑定証明システム。
【請求項７】
前記小型記録媒体（ａ１）〜（ａｎ）および前記小型記録媒体（ｂ）の少なくとも１つには、ＧＰＳ機能が備えられていることを特徴とする、請求項６に記載の鑑定証明システム。
【発明の詳細な説明】
【技術分野】
【０００１】
本発明は、バッグ、カバン、衣類、時計、美術工芸品、自動車等の鑑定証明が必要とされる製品（以下、「要鑑定製品」ともいう。）の鑑定証明システムに関する。
【背景技術】
【０００２】
バッグ、カバン、衣類、時計、美術工芸品、自動車等の要鑑定製品は、通常、製造メーカーや製造者（著作者）によって製造された後、物流業者、卸売り業者、小売業者等の流通業者を通じてユーザーに販売されるといった複雑な流通経路を辿り、鑑定証明、すなわち、製品が模造品でなく真正品であることの証明がユーザーに求められている。また、近年では、インターネットを通じて上記製品がユーザーに販売されることも多くなってきたため、これらの製品の鑑定証明の必要性が増大している。
【０００３】
要鑑定製品には、通常、真正品であることを証明・保証するための証明書（以下、「ギャランティカード」ともいう。）が発行される。ギャランティカードには、製品の商品名、品番、製造メーカー・製造者、製造場所、製造年月日等の製品に関する情報（以下、「製品情報」ともいう。）が記載される。しかしながら、近年は、インターネット等を通じてギャランティカードのみを入手することも可能となってきたことから、ギャランティカードによる鑑定証明は十分信頼性のあるものではない。
【０００４】
特許文献１には、プラスチック製カード等の媒体に情報を格納したＩＣチップを取り付けたものを証明書として用い、証明書の表面に印刷された情報とＩＣチップのメモリから読み出した情報とを照合することによって証明書の正当性判定を行う手法が開示されている。しかしながら、特許文献１に開示された手法を要鑑定製品に適用すると、偽造が難しくなることからギャランティカード自体の正当性は確認できるとしても、このギャランティカードと製品とを紐付けるものは、製品に刻印された品番だけであることから、鑑定証明は十分には行えない。
【０００５】
また、特許文献２には、製品にＩＣチップを取り付け、ＩＣチップに記録した製品情報を、スマートフォン、携帯電話等により読み出し可能にする手法が開示されている。しかしながら、特許文献２の手法を要鑑定製品に適用すると、上記の製品情報の読み出しに際し、パスワードを設定しない場合には、要鑑定製品の流通業者、ユーザー以外の第三者も製品情報を知ることが可能となり、要鑑定製品が真正品であるか否か、要鑑定製品等の製造年月日が新しいか否か等のユーザーが知られたくない製品情報を第三者が取得可能となる。一方、パスワードを設定した場合には、要鑑定製品が複雑な流通経路を辿るうちにパスワードが不明となり、必要な場合に鑑定証明が行えなくなる可能性が高くなる。
【０００６】
また、特許文献３は、製品にシリアルコードを付与し、これをシリアルコードリーダーで読み取り、製品データベースに照会することにより、製品の鑑定証明を行う手法が開示されている。しかしながら、特許文献３に開示された手法を要鑑定製品に適用した場合には、特許文献２に開示された手法と同様の問題が生じる。
【先行技術文献】
【特許文献】
【０００７】
【特許文献１】特開２００１−３５７３７７号公報
【特許文献２】国際公開第２０１４／２０７８９０号
【特許文献３】特開２０２０−３５１９７号公報
【発明の概要】
【発明が解決しようとする課題】
【０００８】
本発明の課題は、複雑な流通経路を辿って流通したり、インターネットを通じて販売されたりする要鑑定製品の新製品または中古品を購入したユーザーのみが、信頼性の高い鑑定証明を簡単に行うことができる鑑定証明システムを提供することにある。
【課題を解決するための手段】
【０００９】
本件出願人等は、バッグ、カバン、衣類、時計、美術工芸品、自動車等の要鑑定製品は、複雑な流通経路を辿って流通したり、インターネットを通じて販売されたりするものの、通常、要鑑定製品とギャランティカードは共に流通・販売されることに着目し、要鑑定製品とギャランティカードとを紐付けし、両者によって、ユーザーのみが信頼性の高い鑑定証明を簡単に行える方法について鋭意検討し、本発明を成したものである。
【００１０】
さらに、本発明では、製造メーカー・製造者および流通業者が、製品情報および取引情報を、専用プラットフォームのブロックチェーンデータに書き込むことにより、製品情報および取引情報が改竄されることを完全に防止し、鑑定証明の信頼性を更に高めている。
【００１１】
本発明の要旨を以下に示す。
（１）バッグ、カバン、衣類、時計、美術工芸品、自動車等の鑑定証明が必要とされる製品の鑑定証明システムであって、
秘密鍵α１、製品情報を含む情報を記録した小型記録媒体（ａ１）が貼着または組み込まれた前記製品、および秘密鍵β１、製品情報を含む情報を記録した小型記録媒体（ｂ）が貼着または組み込まれたギャランティカードを用いて鑑定証明が行われ、
前記製品の製品情報、前記製品がユーザーへ渡るまでの各流通段階における取引情報の各情報を、ブロックチェーンデータとして記録する専用プラットフォームと、
前記製品情報および前記取引情報を、製造メーカー・製造者および流通業者が、前記ブロックチェーンデータに書き込むために使用されるアプリケーション［Ａ］と、
前記ユーザーが前記製品情報および前記取引情報を、前記ブロックチェーンデータから読み込むために使用されるアプリケーション［Ｂ］と、を備え、
前記製造メーカー・製造者および前記流通業者が、前記アプリケーション［Ａ］を用いて、前記製品情報および前記取引情報を、前記ブロックチェーンデータに書き込み、
前記ユーザーが、前記製品に付与された前記秘密鍵α１、および前記ギャランティカードに付与された前記秘密鍵β１を使用し、前記アプリケーション［Ｂ］を用いて、前記製品の前記製品情報および前記取引情報を、前記ブロックチェーンデータから読み込むことにより、前記製品の鑑定証明を行うことを特徴とする、鑑定証明システム。
（２）前記ブロックチェーンデータに前記製品情報および前記取引情報を書き込む権限が、これらの情報に関わる前記製造メーカー・製造者または前記流通業者に限定して与えられることを特徴とする、（１）に記載の鑑定証明システム。
（３）前記専用プラットフォームとして、Ｐ２Ｐネットワークを有するブロックチェーンを利用することを特徴とする、（１）または（２）に記載の鑑定証明システム。
（４）前記アプリケーション［Ａ］および前記アプリケーション［Ｂ］は、パーソナルコンピュータ、スマートフォン等の端末にダウンロードされ作動するものであることを特徴とする、（１）〜（３）のいずれかに記載の鑑定証明システム。
（５）前記製品情報は、前記製品の商品名、品番、製造メーカー・製造者、製造場所、製造年月日等の製品に関する情報を含むことを特徴とする、（１）〜（４）のいずれかに記載の鑑定証明システム。
（６）前記製品には、前記小型記録媒体（ａ１）と共に、秘密鍵α２を含む情報を記録した小型記録媒体（ａ２）〜秘密鍵αｎを含む情報を記録した小型記録媒体（ａｎ）のｎ個（ｎは２以上の整数）の小型記録媒体が貼着または組み込まれていることを特徴とする、（１）〜（５）のいずれかに記載の鑑定証明システム。
（７）前記小型記録媒体（ａ１）〜（ａｎ）および前記小型記録媒体（ｂ）の少なくとも１つには、ＧＰＳ機能が備えられていることを特徴とする、（６）に記載の鑑定証明システム。
【発明の効果】
【００１２】
本発明の鑑定証明システムは、複雑な流通経路を辿って流通したり、インターネットを通じて販売されたりする要鑑定製品の新製品または中古品を購入したユーザーのみが、信頼性の高い鑑定証明を簡単に行うことができる。
【００１３】
さらに、本発明の鑑定証明システムは、製造メーカー・製造者および流通業者（物流業者、卸売り業者、小売業者等）が、要鑑定製品の製品情報および取引情報を、専用プラットフォームのブロックチェーンデータに順次書き込んでいくことにより、製品情報および取引情報を相互補完しながら正確に記録することができ、さらに、製品情報および取引情報が改竄されることを完全に防止できるため、鑑定証明の信頼性を更に高めることができる。  
【図面の簡単な説明】
【００１４】
【図１】要鑑定製品およびこれと共に販売され、流通するギャランティカードを示す模式図である。
【図２】本発明の鑑定証明システムの一実施形態を示す概略図である。
【図３】本発明の鑑定証明システムにおいて、専用プラットフォームに記録される、製品情報、取引情報の各情報を記録したブロックチェーンデータの概念図である。
【発明を実施するための形態】
【００１５】
以下、本発明の鑑定証明システムについて、図面を用いながら詳細に説明するが、本発明はこれらに限定されるものではない。
【００１６】
図１は、本発明の鑑定証明システムで取り扱われる、複雑な流通経路を辿って流通したり、インターネットを通じて販売されたりする要鑑定製品１、およびこれと共に販売され、流通するギャランティカード２を示す模式図である。  要鑑定製品１には、秘密鍵α１、製品情報（商品名、品番、製造メーカー・製造者、製造場所、製造年月日等）を含む情報を記録した小型記録媒体（ａ１）１ａが貼着または組み込まれており、また、ギャランティカード２には、秘密鍵β１、製品情報を含む情報を記録した小型記録媒体（ｂ）２ａが貼着または組み込まれている。小型記録媒体（ａ１）１ａ、小型記録媒体（ｂ）２ａとしては、要鑑定製品１およびギャランティカード２の形状、構造、大きさ等に応じて、マイクロチップ、ＱＲコード（登録商標）、電子透かし等の小型記録媒体を適宜用いることができる。
【００１７】
要鑑定製品１の小型記録媒体（ａ１）１ａ、およびギャランティカード２の小型記録媒体（ｂ）２ａの製品情報は、後に詳しく説明するように、要鑑定製品１の出荷時に、製造メーカー・製造者により入力される。
【００１８】
図２は、本発明の鑑定証明システムの一実施形態を示す概略図である。
【００１９】
この実施形態では鑑定証明システムは、
ａ）要鑑定製品１の製品情報、要鑑定製品１がユーザーに渡るまでの各流通段階における取引情報の各情報を、ブロックチェーン８ａのブロックチェーンデータ８ｂとして記録する専用プラットフォーム８、
ｂ）専用プラットフォーム８に、インターネット環境７を介して、アプリケーション［Ａ］９により接続される端末［Ａ］５、および
ｃ）専用プラットフォーム８に、インターネット環境７を介して、アプリケーション［Ｂ］１０により接続される端末［Ｂ］６
により構成されている。
【００２０】
製造メーカー・製造者および流通業者（物流業者、卸売り業者、小売業者等）３は、製品情報および取引情報を、アプリケーション［Ａ］９を用いて、専用プラットフォーム８のブロックチェーンデータ８ｂに書き込む。この実施形態では、製造メーカー・製造者および流通業者３が製品情報および取引情報を効率的に書き込めるように、端末［Ａ］５を、リーダー５−２を備えるパーソナルコンピュータ５−１としているが、スマートフォン等の他の端末も適宜用いることができる。
【００２１】
また、ユーザー４は、アプリケーション［Ｂ］１０を用いて、要鑑定製品１に付与された秘密鍵α１、およびギャランティカード２に付与された秘密鍵β１を使用して、専用プラットフォーム８のブロックチェーンデータ８ｂに書き込まれた、要鑑定製品１の製品情報および取引情報を読み込むことができ、これによりユーザーは信頼性の高い鑑定証明を簡単に行うことができる。この実施形態では、ユーザー４がブロックチェーンデータ８ｂに書き込まれた、要鑑定製品１の製品情報および取引情報を簡単に読み込めるように、端末［Ｂ］６を、スマートフォン６−１としているが、パーソナルコンピュータ等の他の端末も適宜用いることができる。
【００２２】
アプリケーション［Ａ］９は端末［Ａ］５にダウンロードされ作動するものであって、これを用いて、製造メーカー・製造者および流通業者（物流業者、卸売り業者、小売業者等）３は、製品情報および取引情報を、専用プラットフォーム８のブロックチェーンデータ８ｂに書き込むことができ、また、アプリケーション［Ｂ］１０は端末［Ｂ］６にダウンロードされ作動するものであって、ユーザー４は、専用プラットフォーム８のブロックチェーンデータ８ｂに書き込まれた、要鑑定製品１の製品情報および取引情報を読み込むことができる。
【００２３】
要鑑定製品１の小型記録媒体（ａ１）１ａに記録された秘密鍵α１、製品情報を含む情報、および、ギャランティカード２の小型記録媒体（ｂ）２ａに記録された秘密鍵β１、製品情報を含む情報の読み取りは、図２に示すように、パーソナルコンピュータ５−１のリーダー５−２や、スマートフォン６−１を接触させて行うこともできるし、ＮＦＣ（ＮｅａｒＦｉｅｌｄ Ｃｏｍｍｕｎｉｃａｔｉｏｎ）、ＲＦＩＤ（Ｒａｄｉｏ Ｆｒｅｑｕｅｎｃｙ ＩＤｅｎｔｉｃｉｆｉｅｒ）等の近距離無線通信により非接触で行うこともできる。
【００２４】
ブロックチェーン８ａとしては、分散型台帳等のＰ２Ｐネットワークを有するブロックチェーンを利用できる。
【００２５】
図３は、本発明の鑑定証明システムにおいて、製造メーカー・製造者により製造された要鑑定製品１について、専用プラットフォーム８に記録される、製品情報、取引情報の各情報を記録したブロックチェーンデータ８ｂの概念図である。
【００２６】
図３を用いて、製造メーカー・製造者および流通業者（物流業者、卸売り業者、小売業者等）３が、製品情報および取引情報を、端末［Ａ］５を用いて、専用プラットフォーム８のブロックチェーンデータ８ｂに書き込む状況について、説明する。
【００２７】
要鑑定製品１（図３では要鑑定製品１として、製造メーカーにより製造されるバッグを例示）は製造メーカーで製造された後、ギャランティカード２をセットして出荷されるが、出荷の際には、まず、＜製造メーカーの製造担当者＞は、アプリケーション［Ａ］９を用いて、次のような製品情報、５Ｗ１Ｈ情報（誰が、いつ、どこで、何を、なぜ、どのように）を含む情報を、専用プラットフォーム８のブロックチェーンデータ８ｂに書き込む。
商品名      ：バッグ
品番        ：XXYYZZ0011
製造メーカー：××
製造場所    ：イタリア
製造年月日  ：2020年1月1日
【００２８】
次に、＜製造メーカーの製造責任者＞は、アプリケーション［Ａ］９を用いて、＜製造メーカーの製造担当者＞が記録した製品情報の検品結果、５Ｗ１Ｈ情報を含む情報を、専用プラットフォーム８のブロックチェーンデータ８ｂに書き込む。
【００２９】
要鑑定製品１が製造メーカーから出荷された後、＜物流業者＞は、アプリケーション［Ａ］９を用いて、製造メーカーから製品を受け取った日時、卸売り業者に納品した日時、５Ｗ１Ｈ情報を含む情報を、専用プラットフォーム８のブロックチェーンデータ８ｂに書き込む。
【００３０】
要鑑定製品１が製造メーカーから入荷された後、＜卸売り業者＞は、アプリケーション［Ａ］９を用いて、物流業者から製品を納品された日時、物流業者に小売業者へ搬送させた日時、５Ｗ１Ｈ情報を含む情報を、専用プラットフォーム８のブロックチェーンデータ８ｂに書き込む。
【００３１】
このようにして、製造メーカーおよび流通業者（物流業者、卸売り業者、小売業者等）３の製品情報および取引情報が、専用プラットフォーム８のブロックチェーンデータ８ｂに順次書き込まれていく。
【００３２】
図３では、要鑑定製品１として、製造メーカーにより比較的大量に製造されるバッグを例に説明したが、製造者（著作者）により比較的少量で製造される美術工芸品についても、同様に、専用プラットフォーム８に、製品情報、取引情報の各情報を、ブロックチェーンデータ８ｂとして記録することができる。
【００３３】
ブロックチェーンデータ８ｂに製品情報および取引情報を書き込む権限は、これらの情報に関わる製造メーカー・製造者および流通業者それぞれに限定して与えられる。例えば、製造メーカー・製造者には製品情報を書き込む権限しか与えられない。
【００３４】
このように、製造メーカー・製造者および流通業者（物流業者、卸売り業者、小売業者等）３が、要鑑定製品１の製品情報および取引情報を順次書き込んでいくことから、要鑑定製品１が複雑な流通経路を辿って流通したり、インターネットを通じて販売されたりしても、要鑑定製品１の製品情報および取引情報が正確に記録できる。
【００３５】
さらに、製品情報および取引情報を、専用プラットフォーム８のブロックチェーンデータ８ｂに書き込むことにより、製品情報および取引情報が改竄されることを完全に防止することができる。すなわち、ブロックチェーンデータ８ｂ内の各ブロックには、タイムスタンプと前のブロックへのリンク（ハッシュ値）が含まれており、ブロック内のデータを遡及的に変更することはできない。
【００３６】
要鑑定製品１の新製品または中古品を購入したユーザー４は、端末［Ｂ］６を用いて、要鑑定製品１に付与された秘密鍵α１、およびギャランティカード２に付与された秘密鍵β１を使用し、アプリケーション［Ｂ］１０を用いて、専用プラットフォーム８のブロックチェーンデータ８ｂに書き込まれた、要鑑定製品１の製品情報および取引情報を読み込むことができる。これにより、要鑑定製品１およびギャランティカード２を所有する真のユーザーだけが、信頼性の高い鑑定証明を簡単に行うことができる。
【００３７】
以上に説明したように、本発明の鑑定証明システムは、複雑な流通経路を辿って流通したり、インターネットを通じて販売されたりする要鑑定製品の新製品または中古品を購入したユーザーが、信頼性の高い鑑定証明を簡単に行うことができる。
【００３８】
さらに、本発明の鑑定証明システムは、製造メーカー・製造者および流通業者（物流業者、卸売り業者、小売業者等）が、要鑑定製品の製品情報および取引情報を、専用プラットフォームのブロックチェーンデータに順次書き込んでいくことにより、製品情報および取引情報を正確に記録でき、また、製品情報および取引情報が改竄されることを完全に防止することができるため、鑑定証明の信頼性を更に高めることができる。
【００３９】
さらに、本発明の鑑定証明システムは、要鑑定製品１に付与された秘密鍵α１、およびギャランティカード２に付与された秘密鍵β１を使用して、専用プラットフォーム８のブロックチェーンデータ８ｂに書き込まれた、要鑑定製品１の製品情報および取引情報を読み込むことにより、要鑑定製品１およびギャランティカード２を所有する真のユーザー４だけが、鑑定証明を行うことができる。
【００４０】
本発明の鑑定証明システムでは、好適には、要鑑定製品１に、小型記録媒体（ａ１）と共に、秘密鍵α２を含む情報を記録した小型記録媒体（ａ２）〜秘密鍵αｎを含む情報を記録した小型記録媒体（ａｎ）のｎ個（ｎは２以上の整数）の小型記録媒体を貼着または組み込むことができる。これにより、秘密鍵α１、秘密鍵β１だけでなく、秘密鍵α２〜αｎの全ての秘密鍵が揃ってはじめて鑑定証明が成立するマルチシグが採用でき、鑑定精度をより確実なものとすることができる。さらに、ｎ個の小型記録媒体（ａ１）〜（ａｎ）を要鑑定製品１の各パーツに貼着または組み込むことにより、パーツの一部が模造品と交換されている場合でもこれを検知することができる。例えば、要鑑定製品１が自動車の場合、車体および各タイヤそれぞれに小型記録媒体を貼着または組み込むことにより、全てが真正品でなければ鑑定証明が成立しなくなる。
【００４１】
また、本発明の鑑定証明システムでは、好適には、小型記録媒体（ａ１）〜（ａｎ）および前記小型記録媒体（ｂ）の少なくとも１つに、ＧＰＳ機能を備えることができる。これにより、要鑑定製品１の各パーツや、ギャランティカードを紛失したり、これらが盗難にあった場合でも、容易にその所在を検知することができる。
【符号の説明】
【００４２】
１        要鑑定製品
１ａ      （秘密鍵α１、製品情報を含む情報を記録した）小型記録媒体（ａ１）
２        （要鑑定製品と共に流通・販売される）ギャランティカード
２ａ      （秘密鍵β１、製品情報を含む情報を記録した）小型記録媒体（ｂ）
３        製造メーカー・製造者および流通業者（物流業者、卸売り業者、小売業者等）
４        ユーザー
５        端末［Ａ］
５−１    パーソナルコンピュータ
５−２    リーダー
６        端末［Ｂ］
６−１    スマートフォン
７        インターネット環境
８        専用プラットフォーム
８ａ      ブロックチェーン
８ｂ      ブロックチェーンデータ
９        アプリケーション［Ａ］
１０      アプリケーション［Ｂ］
【要約】
【課題】複雑な流通経路を辿って流通したり、インターネットを通じて販売されたりする、バッグ、カバン、衣類、時計、美術工芸品、自動車等の要鑑定製品の新製品または中古品を購入したユーザーが信頼性の高い鑑定証明を簡単に行うことができる鑑定証明システムを提供する。
【解決手段】バッグ、カバン、衣類、時計、美術工芸品、自動車等の要鑑定製品とギャランティカードとを紐付けすること、および製品情報および取引情報を専用プラットフォームのブロックチェーンデータに書き込むことにより、要鑑定製品の新製品または中古品を購入したユーザーが信頼性の高い鑑定証明を簡単に行えるようにする。
【選択図】図２【図１】
0006894033.tif 000002
【図２】
0006894033.tif 000003
【図３】
0006894033.tif 000004